(57)【要約】【課題】  センサ装置に汎用性を持たせることが可能なモニタシステムを提供すること。【解決手段】    モニタシステム１は、センサ装置２とモニタ装置３とを備えている。モニタシステム１は、センサ装置２毎に個別に設定されたＩＤコードがモニタ装置３に登録されて以後、ＩＤコード信号が該センサ装置２から送信されて同ＩＤコード信号がモニタ装置３で受信されたとき、該センサ装置２により検出された監視対象の状態がモニタ装置３により報知される。モニタ装置３は、マイコン３３を備えている。マイコン３３は、登録モード中に未登録のセンサ装置２のＩＤコードを取得したとき、該センサ装置２に対して通常登録を行う。一方、マイコン３３は、登録モード中に通常登録済のセンサ装置２のＩＤコードを取得したとき、該センサ装置２に対して特殊登録を行う。【選択図】      図１
2006169796.tif 000002
【特許請求の範囲】
【請求項１】
監視対象の状態を検出するセンサ装置と、そのセンサ装置により検出された監視対象の状態を報知するモニタ装置とを備え、センサ装置毎に個別に設定されたＩＤコードがモニタ装置に登録されて以後、該センサ装置のＩＤコードと、該センサ装置により検出された監視対象の状態を示す状態コードとを含むＩＤコード信号がセンサ装置から送信されて同ＩＤコード信号がモニタ装置で受信されたとき、該センサ装置により検出された監視対象の状態がモニタ装置により報知されるモニタシステムにおいて、
前記モニタ装置は、センサ装置の登録が可能な登録モードに該モニタ装置を移行させる登録手段を備え、
前記登録手段は、登録モード中に未登録のセンサ装置のＩＤコードを取得したとき、該センサ装置に対して該センサ装置により検出された監視対象の状態をモニタ装置により報知することを目的とした通常登録を行う一方、登録モード中に通常登録済のセンサ装置のＩＤコードを取得したとき、該センサ装置に対して前記通常登録とは異なる特殊登録を行うことを特徴とするモニタシステム。
【請求項２】
請求項１に記載のモニタシステムにおいて、
前記登録手段は、登録モード中に通常登録済のセンサ装置のＩＤコードを取得する度に、該センサ装置に対して互いに異なる複数の特殊登録のいずれかを行うことを特徴とするモニタシステム。
【請求項３】
請求項２に記載のモニタシステムにおいて、
前記登録手段は、複数の特殊登録の各々に予め優先順位を付与し、同登録手段は、登録モード中に通常登録済のセンサ装置のＩＤコードを取得する度に、該センサ装置に対して該優先順位に従って選択される特殊登録を行うことを特徴とするモニタシステム。
【発明の詳細な説明】
【技術分野】
【０００１】
本発明は、監視対象の状態を監視するモニタシステムに関する。
【背景技術】
【０００２】
特許文献１には、住宅の窓の施解錠状態を監視するモニタシステム（施解錠状態監視装置）が開示されている。モニタシステムは、センサ装置（子機）とモニタ装置（親機）とを備えている。センサ装置は、窓の施解錠状態を検出する。そして、センサ装置は、該センサ装置毎に個別に設定されたＩＤコードと、自身が監視する窓の施解錠状態を示す状態コード（施錠状態コード又は解錠状態コード）とを含むＩＤコード信号を外部に送信する。
【０００３】
一方、モニタ装置は、センサ装置から送信されてくるＩＤコード信号を受信したとき、そのＩＤコード信号に含まれているＩＤコードからセンサ装置を特定する。そして、モニタ装置は、同じくＩＤコード信号に含まれている状態コードから、該特定したセンサ装置により監視されている窓の施解錠状態を認識する。そして、モニタ装置は、該窓が施錠状態にあるのか或いは解錠状態にあるのかを視覚的に報知する。その結果、モニタシステムが設置された住宅の家人は、モニタ装置による報知内容を一瞥するだけで窓の施解錠状態を的確に把握することができる。
【０００４】
ここで、モニタ装置には、在宅モードや警戒モードが存在する。在宅モードは、家人の在宅中に設定されることを前提としたモードである。このため、在宅モードでは、窓の施解錠状態を視覚的に報知することが主に行われ、窓が解錠されたときにはブザーが短時間に亘って鳴動される。一方、警戒モードは、家人の外出に伴って設定されることを前提としたモードである。このため、警戒モードでは、窓が解錠されたときにはブザーが長時間に亘って鳴動される。
【特許文献１】特開２００２−１１５４２９号公報
【発明の開示】
【発明が解決しようとする課題】
【０００５】
さて、モニタシステムを用いて窓の施解錠状態を監視するためには、予めセンサ装置をモニタ装置に登録しておく必要がある。ここで、センサ装置をモニタ装置に登録する場合、まずセンサ装置を窓に設置する。そして、モニタ装置の登録スイッチを操作することでモニタ装置を登録モードに移行させる。すると、モニタ装置側において、登録対象となるセンサ装置に関連付けされるＬＥＤが点滅される。
【０００６】
そして、この状態で窓を施解錠することで今度はセンサ装置を登録モードに移行させる。すると、センサ装置から、該センサ装置毎に個別に設定されたＩＤコードと、該ＩＤコードが登録用のＩＤコードである旨をモニタ装置側で特定するための指標となる指標コードとを含む登録用信号が送信される。そして、この登録用信号がモニタ装置にて受信されたとき、該登録用信号に含まれているＩＤコードが、登録対象となるセンサ装置のＩＤコードであるものとしてモニタ装置に登録される。そして、モニタ装置のブザーが鳴動されることでセンサ装置の登録完了が報知される。その後、モニタ装置の登録スイッチが操作されたとき、一連の登録作業が完了する。
【０００７】
ところで、窓の施解錠状態を検出するためのセンサ装置をドアの施解錠状態を検出するためのセンサ装置としても用いることができれば、センサ装置を共通化できて都合がよい。しかし、窓は外出や帰宅に伴って家人が出入りするためのものでないが、ドアは外出や帰宅に伴って家人が出入りするためのものである。このため、モニタ装置を警戒モードに設定して外出した後、帰宅に伴ってドアを解錠したとき、モニタ装置のブザーが長時間に亘って鳴動されてしまう。
【０００８】
本発明は、このような問題点に着目してなされたものであって、その目的は、センサ装置に汎用性を持たせることが可能なモニタシステムを提供することにある。
【課題を解決するための手段】
【０００９】
上記の目的を達成するために、請求項１に記載の発明では、監視対象の状態を検出するセンサ装置と、そのセンサ装置により検出された監視対象の状態を報知するモニタ装置とを備え、センサ装置毎に個別に設定されたＩＤコードがモニタ装置に登録されて以後、該センサ装置のＩＤコードと、該センサ装置により検出された監視対象の状態を示す状態コードとを含むＩＤコード信号がセンサ装置から送信されて同ＩＤコード信号がモニタ装置で受信されたとき、該センサ装置により検出された監視対象の状態がモニタ装置により報知されるモニタシステムにおいて、前記モニタ装置は、センサ装置の登録が可能な登録モードに該モニタ装置を移行させる登録手段を備え、前記登録手段は、登録モード中に未登録のセンサ装置のＩＤコードを取得したとき、該センサ装置に対して該センサ装置により検出された監視対象の状態をモニタ装置により報知することを目的とした通常登録を行う一方、登録モード中に通常登録済のセンサ装置のＩＤコードを取得したとき、該センサ装置に対して前記通常登録とは異なる特殊登録を行うことを特徴とする。
【００１０】
請求項２に記載の発明では、請求項１に記載のモニタシステムにおいて、前記登録手段は、登録モード中に通常登録済のセンサ装置のＩＤコードを取得する度に、該センサ装置に対して互いに異なる複数の特殊登録のいずれかを行うことを特徴とする。
【００１１】
請求項３に記載の発明では、請求項２に記載のモニタシステムにおいて、前記登録手段は、複数の特殊登録の各々に予め優先順位を付与し、同登録手段は、登録モード中に通常登録済のセンサ装置のＩＤコードを取得する度に、該センサ装置に対して該優先順位に従って選択される特殊登録を行うことを特徴とする。
【００１２】
以下、本発明の「作用」について説明する。
請求項１に記載の発明によると、登録モード中に未登録のセンサ装置のＩＤコードが登録手段により取得されたとき、同登録手段により該センサ装置に対して通常登録が行われる。一方、登録モード中に通常登録済のセンサ装置のＩＤコードが登録手段により取得されたとき、同登録手段により該センサ装置に対して特殊登録が行われる。要するに、センサ装置に対して互いに異なる登録を行うことが可能である。このため、センサ装置を互いに異なる用途の各々で利用可能となる。
【００１３】
請求項２に記載の発明によると、センサ装置に対して通常登録と複数の特殊登録の各々とを含めた互いに異なる登録を行うことが可能である。このため、センサ装置の用途が広がる。従って、センサ装置に高い汎用性を持たせることができる。
【００１４】
請求項３に記載の発明によると、例えば、利用頻度の高い特殊登録程、高い優先順位を付与しておけば、登録モードへの移行回数を減らすことが可能となる。従って、利便性を向上できる。
【発明の効果】
【００１５】
本発明は、以上のように構成されているため、次のような効果を奏する。
請求項１〜請求項３のいずれか１項に記載の発明によれば、センサ装置に汎用性を持たせることができる。
【発明を実施するための最良の形態】
【００１６】
以下、本発明を住宅のモニタシステムに具体化した一実施形態を説明する。
図１に示すように、モニタシステム１は、センサ装置２とモニタ装置３とを備えている。センサ装置２は、監視対象の状態を検出するためのものである。モニタ装置３は、センサ装置２により検出された監視対象の状態を報知するためのものである。モニタシステム１は、センサ装置２（送信側）とモニタ装置３（受信側）との間で単方向通信が可能である。
【００１７】
本実施形態のモニタシステム１は、センサ装置２としてセンサ装置２Ａ〜２Ｅが存在する。センサ装置２Ａは、住宅１階の窓Ａ（監視対象）の施解錠状態を検出するためのものである。センサ装置２Ｂは、住宅１階の窓Ｂ（監視対象）の施解錠状態を検出するためのものである。センサ装置２Ｃは、住宅２階の窓Ｃ（監視対象）の施解錠状態を検出するためのものである。センサ装置２Ｄは、住宅２階の窓Ｄ（監視対象）の施解錠状態を検出するためのものである。センサ装置２Ｅは、住宅１階の玄関ドアＥの施解錠状態を検出するためのものである。従って、本実施形態のモニタシステム１は、センサ装置２Ａ〜２Ｅの各々（送信側）とモニタ装置３（受信側）との間で単方向通信が可能である。
【００１８】
尚、センサ装置２Ａ〜２Ｅの各々の構成は、互いに同様である。従って、センサ装置２Ａ〜２Ｅの各々の特徴点の説明を除いて、センサ装置２Ａ〜２Ｅの各々の共通点の説明をセンサ装置２の説明で代用する。
【００１９】
センサ装置２は、送信機能を有している。センサ装置２は、リードスイッチ２１、マイコン２２、送信回路２３、送信アンテナ２４を備えている。リードスイッチ２１は、監視対象の施解錠状態を検出するためのものである。リードスイッチ２１は、監視対象が施錠状態（ロック状態）にあるときＯＮ作動し、監視対象が施錠状態にある旨を示す検出信号をマイコン２２に出力する。一方、リードスイッチ２１は、監視対象が解錠状態（アンロック状態）にあるときＯＦＦ作動し、監視対象が解錠状態にある旨を示す検出信号をマイコン２２に出力する。
【００２０】
ちなみに、リードスイッチ２１は、監視対象（窓Ａ〜Ｄ及び玄関ドアＥのいずれか）を施解錠するために操作される被操作手段に内蔵された磁石を検出可能な磁気センサである。つまり、リードスイッチ２１は、監視対象が施錠されるのに際して、該被操作手段が操作されて磁石がリードスイッチ２１に近接されたとき、ＯＮ作動する。一方、リードスイッチ２１は、監視対象が解錠されるのに際して、該被操作手段が操作されて磁石がリードスイッチ２１から遠ざかったとき、ＯＦＦ作動する。
【００２１】
マイコン２２は、図示しないＣＰＵ、ＲＯＭ、ＲＡＭ等からなるＣＰＵユニットである。マイコン２２は、不揮発性のメモリ２２ａを備えている。メモリ２２ａには、センサ装置２毎に個別に設定されたＩＤコード（センサ装置２のＩＤコード）が記憶されている。ここで、センサ装置２Ａのメモリ２２ａには、第１ＩＤコードが記憶されている。センサ装置２Ｂのメモリ２２ａには、第２ＩＤコードが記憶されている。センサ装置２Ｃのメモリ２２ａには、第３ＩＤコードが記憶されている。センサ装置２Ｄのメモリ２２ａには、第４ＩＤコードが記憶されている。センサ装置２Ｅのメモリ２２ａには、第５ＩＤコードが記憶されている。
【００２２】
マイコン２２は、リードスイッチ２１から検出信号が入力されたとき、センサ装置２のＩＤコードと、該センサ装置２により検出された監視対象の施解錠状態を示す状態コードとを含むＩＤコード信号を送信回路２３に出力する。つまり、マイコン２２は、リードスイッチ２１から監視対象が施錠状態にある旨を示す検出信号が入力されたとき、センサ装置２のＩＤコードと、監視対象が施錠状態にある旨を示す施錠状態コードとを含むＩＤコード信号を送信回路２３に出力する。一方、マイコン２２は、リードスイッチ２１から監視対象が解錠状態にある旨を示す検出信号が入力されたとき、センサ装置２のＩＤコードと、監視対象が解錠状態にある旨を示す解錠状態コードとを含むＩＤコード信号を送信回路２３に出力する。
【００２３】
送信回路２３は、マイコン２２から入力されたＩＤコード信号を所定周波数（本実施形態では４２６ＭＨｚ）の電波に変調する。送信アンテナ２４は、送信回路２３により変調されたＩＤコード信号を外部に送信するための媒体である。ちなみに、センサ装置２Ａから送信されるＩＤコード信号は、第１ＩＤコードを含む第１ＩＤコード信号である。センサ装置２Ｂから送信されるＩＤコード信号は、第２ＩＤコードを含む第２ＩＤコード信号である。センサ装置２Ｃから送信されるＩＤコード信号は、第３ＩＤコードを含む第３ＩＤコード信号である。センサ装置２Ｄから送信されるＩＤコード信号は、第４ＩＤコードを含む第４ＩＤコード信号である。センサ装置２Ｅから送信されるＩＤコード信号は、第５ＩＤコードを含む第５ＩＤコード信号である。
【００２４】
モニタ装置３は、受信機能を有している。モニタ装置３は、受信アンテナ３１、受信回路３２、マイコン３３、表示部３４、ブザー３５、登録スイッチ３６を備えている。受信アンテナ３１は、センサ装置２から送信されてくるＩＤコード信号を受信するための媒体である。受信回路３２は、受信アンテナ３１によりＩＤコード信号が受信されたとき、そのＩＤコード信号を復調して受信信号を生成し、その受信信号をマイコン３３に出力する。
【００２５】
マイコン３３は、図示しないＣＰＵ、ＲＯＭ、ＲＡＭ等からなるＣＰＵユニットである。マイコン３３は、不揮発性のメモリ３３ａを備えている。メモリ３３ａには、センサ装置２のＩＤコードと同一のＩＤコード（住宅側のＩＤコード）が記憶されている。本実施形態においてメモリ３３ａには、センサ装置２Ａの第１ＩＤコード〜センサ装置２Ｅの第５ＩＤコードの各々と同一のＩＤコード（住宅側の第１ＩＤコード〜第５ＩＤコード）が記憶されている。
【００２６】
特に、図２に示すように、メモリ３３ａには、住宅側の各ＩＤコードの各々が、後述する表示部３４のＬＥＤ３４ａ〜３４ｅの各々と関連付けされて記憶されている。ちなみに、第１ＩＤコードは、ＬＥＤ３４ａと関連付けされている。第２ＩＤコードは、ＬＥＤ３４ｂと関連付けされている。第３ＩＤコードは、ＬＥＤ３４ｃと関連付けされている。第４ＩＤコードは、ＬＥＤ３４ｄと関連付けされている。第５ＩＤコードは、ＬＥＤ３４ｅと関連付けされている。
【００２７】
マイコン３３は、受信回路３２から受信信号が入力されたとき、センサ装置２のＩＤコードと住宅側の各ＩＤコードのいずれかとが一致しているか否かを判断する。つまり、この場合、マイコン３３は、ＩＤコード照合を実行する。マイコン３３は、両ＩＤコードが一致したとき、該一致したＩＤコード（第１ＩＤコード〜第５ＩＤコードのいずれか）に関連付けされているＬＥＤ（ＬＥＤ３４ａ〜３４ｅのいずれか）に発光指令信号を出力する。また、マイコン３３は、受信回路３２から入力された受信信号に住宅側の各ＩＤコードのいずれかと同一のＩＤコードが含まれており、且つ同受信信号に解錠状態コードが含まれているとき、ブザー３５に鳴動指令信号を出力する。
【００２８】
表示部３４は、ＬＥＤ３４ａ〜３４ｅを備えている。ＬＥＤ３４ａ〜３４ｅの各々は、マイコン３３から発光指令信号が入力されたとき、発光する。ＬＥＤ３４ａ〜３４ｅの各々は、２色ＬＥＤである。つまり、ＬＥＤ３４ａ〜３４ｅの各々は、緑色に発光する一方、赤色にも発光する。ブザー３５は、マイコン３３から鳴動指令信号が入力されたとき、鳴動する。
【００２９】
登録スイッチ３６は、モニタ装置３を登録モードに移行させるために操作されるものである。登録モードとは、センサ装置２をモニタ装置３に登録可能なモードである。尚、登録モードの詳細については後述する。
【００３０】
ところで、モニタ装置３には、登録モードの他に、在宅モードや警戒モードが存在する。在宅モードは、家人の在宅中に設定されることを前提としたモードである。警戒モードは、家人の外出に伴って設定されることを前提としたモードである。以下、監視対象の施解錠状態の報知態様をモード毎に説明する。
【００３１】
図３に示すように、表示部３４においてＬＥＤ３４ａ〜３４ｅの各々に対応する位置には、監視対象を示す表記が施されている。ちなみに、ＬＥＤ３４ａに対応する位置には、「１階窓Ａ」の表記が施されている。ＬＥＤ３４ｂに対応する位置には、「１階窓Ｂ」の表記が施されている。ＬＥＤ３４ｃに対応する位置には、「２階窓Ｃ」の表記が施されている。ＬＥＤ３４ｄに対応する位置には、「２階窓Ｄ」の表記が施されている。ＬＥＤ３４ｅに対応する位置には、「玄関ドアＥ」の表記が施されている。
【００３２】
そして、在宅モードにおいて１階の窓Ａが施錠状態にあるとき、ＬＥＤ３４ａが緑色に点灯される。同様に、在宅モードにおいて窓Ｂ（窓Ｃ、窓Ｄ、玄関ドアＥ）が施錠状態にあるとき、ＬＥＤ３４ｂ（３４ｃ，３４ｄ，３４ｅ）が緑色に点灯される。
【００３３】
一方、在宅モードにおいて１階の窓Ａが解錠状態にあるとき、ＬＥＤ３４ａが赤色に点灯される。同様に、在宅モードにおいて窓Ｂ（窓Ｃ、窓Ｄ、玄関ドアＥ）が解錠状態にあるとき、ＬＥＤ３４ｂ（３４ｃ，３４ｄ，３４ｅ）が赤色に点灯される。特に、在宅モードにおいて窓Ａ〜Ｄ及び玄関ドアＥの少なくとも１つが施錠状態から解錠状態に切り替わったとき、ブザー３５が短時間に亘って鳴動される。
【００３４】
これに対して、警戒モードにおいて１階の窓Ａが施錠状態にあるとき、ＬＥＤ３４ａが緑色に点灯される。同様に、警戒モードにおいて窓Ｂ（窓Ｃ、窓Ｄ、玄関ドアＥ）が施錠状態にあるとき、ＬＥＤ３４ｂ（３４ｃ，３４ｄ，３４ｅ）が緑色に点灯される。
【００３５】
一方、警戒モードにおいて１階の窓Ａが解錠状態にあるとき、ＬＥＤ３４ａが赤色に点滅される。同様に、警戒モードにおいて窓Ｂ（窓Ｃ、窓Ｄ、玄関ドアＥ）が解錠状態にあるとき、ＬＥＤ３４ｂ（３４ｃ，３４ｄ，３４ｅ）が赤色に点滅される。特に、警戒モードにおいて窓Ａ〜Ｄ及び玄関ドアＥの少なくとも１つが施錠状態から解錠状態に切り替わったとき、ブザー３５が長時間に亘って鳴動される。
【００３６】
次に、モニタシステム１の特徴点について説明する。
さて、上記のように在宅モード又は警戒モードにおいて監視対象の施解錠状態を報知するためには、予めセンサ装置２をモニタ装置３に登録しておく必要がある。以下、センサ装置２をモニタ装置３に登録する場合の手順について説明する。
【００３７】
まず、センサ装置２を監視対象に設置する。本実施形態では、センサ装置２Ａが住宅１階の窓Ａに設置される。センサ装置２Ｂは、住宅１階の窓Ｂに設置される。センサ装置２Ｃは、住宅２階の窓Ｃに設置される。センサ装置２Ｄは、住宅２階の窓Ｄに設置される。センサ装置２Ｅは、住宅１階の玄関ドアＥに設置される。
【００３８】
そして、モニタ装置３の登録スイッチ３６を操作する。すると、マイコン３３によりモニタ装置３が登録モードに移行される。すると、登録対象となるセンサ装置２（本実施形態ではセンサ装置２Ａが最初の登録対象）に関連付けされるＬＥＤ（本実施形態ではＬＥＤ３４ａ）が緑色で点滅される。
【００３９】
そして、この状態で１階の窓Ａを複数回に亘って施解錠する。すると、該窓Ａを施解錠するために操作される被操作手段に内蔵された磁石が、センサ装置２Ａのリードスイッチ２１に近接されたり、該リードスイッチ２１から遠ざかったりする。このため、該リードスイッチ２１がＯＮ作動したりＯＦＦ作動したりする。すると、センサ装置２Ａのマイコン２２により該センサ装置２Ａが登録モードに移行される。すると、センサ装置２Ａから、該センサ装置２ＡのＩＤコード（第１ＩＤコード）と、該第１ＩＤコードが登録用のＩＤコードである旨をモニタ装置３側で特定するための指標となる指標コードとを含む登録用信号が送信される。
【００４０】
そして、この登録用信号がモニタ装置３にて受信されたとき、該登録用信号に含まれているＩＤコード（この場合、第１ＩＤコード）が、登録対象となるセンサ装置２（この場合、センサ装置２Ａ）のＩＤコードであるものとしてモニタ装置３に登録される。つまり、マイコン３３により第１ＩＤコードがＬＥＤ３４ａと関連付けされる。そして、ブザー３５が短時間に亘って１回だけ鳴動されるとともにＬＥＤ３４ａが緑色の点滅状態から緑色に点灯されることでセンサ装置２Ａの登録完了が報知される。加えて、今度はＬＥＤ３４ｂが緑色に点滅されることで、次のセンサ装置２（本実施形態ではセンサ装置２Ｂ）をモニタ装置３に登録可能な状態である旨が報知される。
【００４１】
そして、この状態で今度は１階の窓Ｂを複数回に亘って施解錠すると、上記と同様に、センサ装置２Ｂがモニタ装置３に登録される。そして、センサ装置２Ｂの登録完了に伴って、今度はＬＥＤ３４ｃが緑色に点滅されることで、次のセンサ装置２（本実施形態ではセンサ装置２Ｃ）をモニタ装置３に登録可能な状態である旨が報知される。このようにして、センサ装置２Ａ〜２Ｅの順にモニタ装置３への登録が行われる。
【００４２】
その後、モニタ装置３の登録スイッチ３６を操作する。すると、マイコン３３によりモニタ装置３の登録モードが解除される。そして、マイコン３３によりモニタ装置３が登録モードから在宅モードに移行される。その結果、センサ装置２Ａ〜２Ｅの各々により検出された監視対象の施解錠状態がモニタ装置３により報知される。要するに、上記の手順を経て行われる登録は、センサ装置２により検出された監視対象の施解錠状態をモニタ装置３により報知することを目的とした通常登録である。尚、通常登録は、モニタ装置３の登録モード中に未登録のセンサ装置２のＩＤコードがマイコン３３により取得されたときに行われる。
【００４３】
ここで、本実施形態のモニタシステム１では、全てのセンサ装置２（センサ装置２Ａ〜２Ｅ）が共通化されている。つまり、ドア（玄関ドアＥ）の施解錠状態を検出するためのセンサ装置２（センサ装置２Ｅ）は、窓（窓Ａ〜Ｄのいずれか）の施解錠状態を検出するためのセンサ装置２（センサ装置２Ａ〜２Ｄのいずれか）と同様の構成である。このため、全てのセンサ装置２（センサ装置２Ａ〜２Ｅ）の各々に対して通常登録を行うだけでは、モニタ装置３を警戒モードに設定して外出した後、帰宅に伴って玄関ドアＥを解錠したとき、モニタ装置３のブザー３５が長時間に亘って鳴動される。
【００４４】
そこで、本実施形態のモニタシステム１では、全てのセンサ装置２（センサ装置２Ａ〜２Ｅ）の各々に対して通常登録とは異なる特殊登録を行うことが可能な構成が採用されている。言うまでもなく、特殊登録は、モニタ装置３を警戒モードに設定して外出した後、帰宅に伴って玄関ドアＥを解錠したときでも、玄関ドアＥを解錠してから所定時間が経過するまでの期間内に所定の操作を行った場合に限り、モニタ装置３のブザー３５が長時間に亘って鳴動されないようにするための登録である。ちなみに、特殊登録を行った場合でも、玄関ドアＥを解錠してから所定時間が経過するまでの期間内に所定の操作を行わなかったとき、モニタ装置３のブザー３５が長時間に亘って鳴動される。尚、該所定の操作は、一般的に暗証番号を入力すること等で実現される。以下、センサ装置２をモニタ装置３に特殊登録する場合の手順について説明する。
【００４５】
まず、モニタ装置３の登録スイッチ３６を操作する。すると、通常登録時と同様に、マイコン３３によりモニタ装置３が登録モードに移行されて、センサ装置２Ａに関連付けされるＬＥＤ３４ａが緑色で点滅される。尚、モニタ装置３は、スキップスイッチ（図示略）を備えている。そして、本実施形態では、玄関ドアＥの施解錠状態を検出するためのセンサ装置２Ｅに対して特殊登録を行うため、センサ装置２Ｅに関連付けされるＬＥＤ３４ｅが緑色で点滅されるまで複数回に亘ってスキップスイッチを操作する。
【００４６】
そして、ＬＥＤ３４ｅが緑色で点滅されている状態で玄関ドアＥを複数回に亘って施解錠する。すると、通常登録時と同様に、センサ装置２Ｅから、該センサ装置２ＥのＩＤコード（第５ＩＤコード）と、該第５ＩＤコードが登録用のＩＤコードである旨をモニタ装置３側で特定するための指標となる指標コードとを含む登録用信号が送信される。
【００４７】
そして、この登録用信号がモニタ装置３にて受信されたとき、つまり登録モード中に通常登録済のセンサ装置２Ｅの第５ＩＤコードがマイコン３３により取得されたとき、同マイコン３３により該センサ装置２Ｅに対して特殊登録が行われる。そして、ブザー３５が短時間に亘って２回鳴動されるとともにＬＥＤ３４ｅが緑色の点滅状態から緑色に点灯されることでセンサ装置２Ｅの特殊登録の完了が報知される。
【００４８】
その後、モニタ装置３の登録スイッチ３６を操作すると、マイコン３３によりモニタ装置３の登録モードが解除される。そして、マイコン３３によりモニタ装置３が登録モードから在宅モードに移行される。その結果、センサ装置２Ａ〜２Ｅの各々により検出された監視対象の施解錠状態がモニタ装置３により報知される。特に、モニタ装置３を警戒モードに設定して外出した後、帰宅に伴って玄関ドアＥを解錠したときでも、玄関ドアＥを解錠してから所定時間が経過するまでの期間内に所定の操作を行った場合に限り、モニタ装置３のブザー３５が長時間に亘って鳴動されない。
【００４９】
以上、詳述したように本実施形態によれば、次のような作用、効果を得ることができる。
（１）モニタ装置３の登録モード中に未登録のセンサ装置２のＩＤコードがマイコン３３により取得されたとき、同マイコン３３により該センサ装置２に対して通常登録が行われる。一方、モニタ装置３の登録モード中に通常登録済のセンサ装置２のＩＤコードがマイコン３３により取得されたとき、同マイコン３３により該センサ装置２に対して特殊登録が行われる。要するに、センサ装置２に対して互いに異なる登録を行うことが可能である。このため、センサ装置２を互いに異なる用途の各々で利用可能となる。従って、センサ装置２に汎用性を持たせることができる。
【００５０】
（２）本実施形態とは異なり、登録スイッチ３６とは別の特殊登録スイッチをモニタ装置３に設け、登録スイッチ３６の操作に基づいて通常登録を行う一方、特殊登録スイッチの操作に基づいて特殊登録を行う構成では、特殊登録スイッチが必須となり好ましくない。本実施形態では、センサ装置２に対して通常登録を行う場合、及びセンサ装置２に対して特殊登録を行う場合、のいずれにも、登録スイッチ３６が供される。従って、特殊登録スイッチを用いることなく特殊登録を行うことができる。このことは、モニタ装置３の小型軽量化に繋がる。
【００５１】
（３）窓（窓Ａ〜Ｄのいずれか）の施解錠状態を検出するためのセンサ装置２（センサ装置２Ａ〜２Ｄ）の構成と、ドア（玄関ドアＥ）の施解錠状態を検出するためのセンサ装置２（センサ装置２Ｅ）の構成とを共通化することができる（ただし、各センサ装置２の各々のＩＤコードは異なる）。
【００５２】
（４）窓（窓Ａ〜Ｄのいずれか）の施解錠状態を検出するためのセンサ装置２（センサ装置２Ａ〜２Ｄ）をドア（玄関ドアＥ）の施解錠状態を検出するためのセンサ装置２（センサ装置２Ｅ）としても用いることができる。
【００５３】
（５）センサ装置２に対する登録態様（通常登録、特殊登録）をモニタ装置３側において複数用意するだけでよく、複数種類のセンサ装置２を用意する必要がない（ただし、各センサ装置２の各々のＩＤコードは異なる）。要するに、センサ装置２の構成に依存することなく、モニタ装置３側のソフトウェアを変更するだけで、センサ装置２に汎用性を持たせることができる。
【００５４】
（６）通常登録の完了時と特殊登録の完了時とでブザー３５の鳴動回数を異ならせている。従って、ブザー３５の鳴動回数の違いに基づいて、通常登録又は特殊登録のいずれの登録が完了したのかを的確に把握させることができる。このことは、誤登録の回避に繋がる。
【００５５】
（７）センサ装置２Ｅに対して特殊登録を行うことで、モニタ装置３を警戒モードに設定して外出した後、帰宅に伴って玄関ドアＥを解錠したときでも、玄関ドアＥを解錠してから所定時間が経過するまでの期間内に所定の操作を行った場合に限り、モニタ装置３のブザー３５が長時間に亘って鳴動されない。つまり、該所定の操作の必要性を知り得る家人の帰宅時にブザー３５が鳴動されることはない。従って、利便性を向上できることは言うまでもない。
【００５６】
尚、前記実施形態は、次のように変更して具体化することも可能である。
・センサ装置２に対して通常登録、及び互いに異なる複数の特殊登録の各々、のいずれかを行うことが可能なモニタシステム１に具体化してもよい。この場合、モニタ装置３の登録モード中に通常登録済のセンサ装置２のＩＤコードがマイコン３３により取得される度に、同マイコン３３により該センサ装置２に対して互いに異なる複数の特殊登録のいずれかが行われる。このように構成すれば、センサ装置２に対して通常登録と複数の特殊登録の各々とを含めた互いに異なる登録を行うことが可能である。このため、センサ装置２の用途が広がる。従って、センサ装置２に高い汎用性を持たせることができる。
【００５７】
・上記のようにセンサ装置２に対して通常登録、及び互いに異なる複数の特殊登録の各々、のいずれかを行うことが可能なモニタシステム１において、マイコン３３により複数の特殊登録の各々に予め優先順位が付与されている構成を採用してもよい。この場合、モニタ装置３の登録モード中に通常登録済のセンサ装置２のＩＤコードがマイコン３３により取得される度に、同マイコン３３により該センサ装置２に対して該優先順位に従って選択される特殊登録が行われる。このように構成すれば、例えば、利用頻度の高い特殊登録程、高い優先順位を付与しておけば、モニタ装置３において登録モードへの移行回数を減らすことが可能となる。従って、利便性を向上できる。
【００５８】
・工場内の複数の部屋の各々（監視対象）の状態（例えば、室内温度、室内湿度、室内照度等）を監視するモニタシステムに具体化してもよい。
【図面の簡単な説明】
【００５９】
【図１】モニタシステムの構成を示すブロック図。
【図２】モニタ装置のメモリの記憶内容を示す概念図。
【図３】モニタ装置の表示部を示す概略図。
【符号の説明】
【００６０】
１…モニタシステム、２（２Ａ〜２Ｅ）…センサ装置、３…モニタ装置、３３…マイコン（登録手段）、Ａ〜Ｄ…窓（監視対象）、Ｅ…玄関ドア（監視対象）。
【図１】
2006169796.tif 000003
【図２】
2006169796.tif 000004
【図３】
2006169796.tif 000005